(57)【要約】【課題】画像付きの送信結果レポート出力機能及び白紙除去機能を有する画像処理装置において、先頭ページが白紙ページ除去された場合、先頭ページは白紙のため画像付きの送信結果レポートにも関わらず送信画像が印刷されていないレポートが出力される。このため、ユーザはどのような画像が送信されたかをその場で確認することができなくなるためユーザの利便性が低下する。【解決手段】画像付きの送信結果レポート出力機能及び白紙除去機能を有する画像処理装置において、レポートプリント出力時に画像付きでレポートプリントするか否かを判別する手段と、画像付きレポートプリントで出力すると判別された場合は、スキャン文書の先頭から白紙でないページを検索する手段と、白紙でないと判別されたページを画像付きレポートプリントとして出力する手段とを有すること。【選択図】  図３
2015056708.tif 000002
【特許請求の範囲】
【請求項１】
画像付きの送信結果レポート出力機能及び白紙除去機能を有する画像処理装置において、
レポートプリント出力時に画像付きでレポートプリントするか否かを判別する手段と(S304)、
画像付きレポートプリントで出力すると判別された場合は、スキャン文書の先頭から白紙でないページを検索する手段と(S305,S306)、
白紙でないと判別されたページを画像付きレポートプリントとして出力する手段(S311)と
を有することを特徴とする画像処理装置およびその制御方法。
【請求項２】
請求項１に記載の画像処理装置において、
スキャン文書の先頭から白紙でないページを検索する際には、特定のページ数までで検索を終了する手段(S307)、
特定のページ数まで検索しても全てのページ白紙と判断された場合は、白紙ページのため画像が付加されていない旨のメッセージを付加したレポート画像を出力手段(S309,S310)と
を有することを特徴とする画像処理装置およびその制御方法。
【請求項３】
請求項１に記載の画像処理装置において、
スキャン文書の先頭から白紙でないページを検索する際には、スキャン文書の最終ページまで検索をする手段(S307)、
最終ページまで検索しても全て白紙ページの場合はレポート出力自体を中止する中止手段(S509)と
を有することを特徴とする画像処理装置およびその制御方法。
【請求項４】
請求項１乃至請求項３の何れか１項に記載の画像処理装置において、
スキャン文書の先頭から白紙でないページを検索する際の検索手段を、特定のページ数までで検索を終了するか最終ページまで検索するかを切り替える手段(1101,1102)と
を有することを特徴とする画像処理装置およびその制御方法。
【請求項５】
画像付きの送信結果レポート出力機能及び白紙除去機能を有する画像処理装置において、
白紙除去の設定を行う際に、白紙判定レベルを設定する設定手段(S401)と、
白紙判定レベルに応じてスキャンを実行する白紙除去実行手段(S402)と、
複数の白紙判定結果と前記白紙判定レベルとをスキャン文書の各ページに関連付けて保存する手段(S404)と、
スキャン完了後にユーザ操作により白紙判定レベルを変更可能とする手段(S407,S408)と、
前記変更した白紙判定レベルに応じて白紙除去をしてスキャンした文書を送信する手段(S406)と、
レポートプリント出力時に画像付きでレポートプリントするか否かを判別する手段と(S411)、
画像付きレポートプリントで出力すると判別された場合は、スキャン文書の先頭から前記白紙判定レベルを取得する手段(S412)と、
前記白紙判定レベルに対応する白紙判定結果を複数の中から１つ特定して白紙判定結果を取得する手段(S413)と、
前記白紙判定結果で白紙と判定された場合は次ページの白紙判定レベルを取得し白紙でないページを検索する手段(S413,S414,S415,S416)と、
白紙でないと判別されたページを画像付きレポートプリントとして出力する手段(S419)と
を有することを特徴とする画像処理装置およびその制御方法。
【請求項６】
請求項５に記載の画像処理装置において、
前記白紙でないページを検索する際には、特定のページ数までで検索を終了する手段(S415)、
特定のページ数まで検索しても全てのページ白紙と判断された場合は、白紙ページのため画像が付加されていない旨のメッセージを付加したレポート画像を出力手段(S417,S418)と
を有することを特徴とする画像処理装置およびその制御方法。
【請求項７】
請求項５に記載の画像処理装置において、
前記白紙でないページを検索する際には、スキャン文書の最終ページまで検索をする手段(S307)、
最終ページまで検索しても全て白紙ページの場合はレポート出力自体を中止する中止手段(S509)と
を有することを特徴とする画像処理装置およびその制御方法。
【請求項８】
請求項５乃至請求項７の何れか１項に記載の画像処理装置において、
前記白紙でないページを検索する際の検索手段を、特定のページ数までで検索を終了するか最終ページまで検索するかを切り替える手段(1101,1102)と
を有することを特徴とする画像処理装置およびその制御方法。
【発明の詳細な説明】
【技術分野】
【０００１】
本発明は、画像処理装置にてスキャンして送信した結果をユーザに通知するための結果を送信結果レポートとしてユーザに通知する画像処理装置に関する。
【背景技術】
【０００２】
従来、デジタル複合機等の画像処理装置により任意の送信宛先に対してスキャンした文書をファクスや電子メール等で送信し、送信した結果を印刷するという送信結果レポート出力機能が存在している（特許文献１）。
【０００３】
また、送信した結果だけでなく送信画像の先頭ページも併せて印刷することでどのような画像が送信されたかをユーザに分かり易く通知する画像付きの送信結果レポート出力機能も存在している（特許文献２）。
【０００４】
一方、画像処理装置においては高機能化がすすんでおりスキャン原稿中に白紙ページがあった場合は画像処理装置において白紙ページのみを自動的に除去して送信するという白紙除去機能が存在している（特許文献３）。
【先行技術文献】
【特許文献】
【０００５】
【特許文献１】特開平７−５８８８６号公報
【特許文献２】特開平９−２１４７２４号公報
【特許文献３】特開２０００−９２２６１号公報
【発明の概要】
【発明が解決しようとする課題】
【０００６】
しかしながら、画像付きの送信結果レポート出力機能及び白紙除去機能を有する画像処理装置において、先頭ページが白紙ページ除去された場合、先頭ページは白紙のため画像付きの送信結果レポートにも関わらず送信画像が印刷されていないレポートが出力される。
【０００７】
このため、ユーザはどのような画像が送信されたかをその場で確認することができなくなるためユーザの利便性が低下する。
【課題を解決するための手段】
【０００８】
画像付きの送信結果レポート出力機能及び白紙除去機能を有する画像処理装置において、
レポートプリント出力時に画像付きでレポートプリントするか否かを判別する手段と(S304)、
画像付きレポートプリントで出力すると判別された場合は、スキャン文書の先頭から白紙でないページを検索する手段と(S305,S306)、
白紙でないと判別されたページを画像付きレポートプリントとして出力する手段(S311)と
を有することを特徴とする画像処理装置およびその制御方法。
【発明の効果】
【０００９】
先頭ページが白紙と判断されてしまった場合でも白紙でないページを検索して画像付きの結果レポートを確実に出力することが可能となりユーザの利便性が向上する。
【００１０】
また、スキャン後に白紙判定レベルをユーザが変更した場合であっても、変更した白紙判定結果に応じて白紙でないページを検索して画像付きの結果レポートを確実に出力することが可能となる。
【００１１】
さらに、白紙ページを検索する際にも特定ページまでに限定して出力することも可能となり、送信結果レポート出力時のパフォーマンスが向上することでユーザの利便性が向上する。
【図面の簡単な説明】
【００１２】
【図１】本発明の実施形態のシステム構成図
【図２】図１記載の画像処理装置１０３のブロック図
【図３】本発明の実施例について示したフローチャート１
【図４】本発明の実施例について示したフローチャート２
【図５】本発明の実施例について示したフローチャート３
【図６】送信結果レポートの設定画面例
【図７】スキャン文書の各ページのページ情報１
【図８】スキャン時に白紙判定レベルを設定するための画面例
【図９】プレビュー画面で白紙判定レベルを変更するための画面例
【図１０（Ａ）】スキャン文書の各ページのページ情報２
【図１０（Ｂ）】スキャン文書の各ページのページ情報２
【図１１】白紙ページの検索を切り替えるための画面例
【図１２】画像付きの結果レポートで画像が検索できなかった場合の、結果レポート出力例
【発明を実施するための形態】
【００１３】
以下、本発明を実施するための最良の形態について図面を用いて説明する。
【００１４】
［実施例１］
図１は本発明における実施形態のシステム全体の構成を示したものである。
【００１５】
画像処理装置１０３はスキャンした紙原稿を電子化してネットワークを介してネットワーク１０４上のファイル共有サーバ１０１等に送信することが可能である。
【００１６】
また、画像処理装置１０３はユーザ認証機能を有しており画像処理装置１０３を操作する際にユーザ認証が必要か否かをデバイス管理者が設定可能である。
【００１７】
ユーザ認証に必要な各ユーザのユーザ名、パスワード等は画像処理装置１０３内で管理することも可能であるが、ネットワーク１０４上の認証サーバ１０２内で管理することも可能である。
【００１８】
図２は画像処理装置１０３の構成を示すブロック図である。
【００１９】
ＣＰＵ２０１は、ＲＯＭ２０９に格納されたプログラムを、ＲＡＭ２０８にロードすることによって画像処理装置１０３全体の動作を制御する。また、ＣＰＵ２０１は、バス２０２を介して画像処理装置１０３内の各構成と通信を行う。
【００２０】
プリンタ２０４は、入力された画像データに基づく画像を、記録紙（シート）上に印刷する。スキャナ２０５は、ユーザが原稿台にセットした原稿上の画像を読み取り、これによって得た画像データをＨＤＤ２０３、ＲＡＭ２０８等に蓄積する。
【００２１】
また、スキャナ２０５は、原稿給送装置を含み、原稿給送装置にセットされた複数枚の原稿を順次原稿台上に給送後、読み取ることが可能である。
【００２２】
ＨＤＤ２０３は、ハードディスクを含むハードディスクドライブである。
【００２３】
スキャナ２０５より入力された画像データや各種ユーザーデータ（アドレス帳等）を保存可能である。操作部２０６は、ユーザが指示を行うための複数のキー、ユーザに通知すべき各種情報を表示する表示部を含む。
【００２４】
ネットワークＩ／Ｆ２０７は、画像処理装置１０３をネットワーク１０４に接続し、スキャナ２０５でスキャンした画像データをネットワーク上のファイル共有サーバ１０１へのデータの送信を制御する。ＦＡＸ２１０は、電話回線を介して画像データの送受信を行う。
【００２５】
以下、本実施例における宛先表の処理方法について図３のフローチャートを用いて説明する。なお、本フローチャートで示す処理は、ＲＯＭ２０９に格納されたプログラムをＲＡＭ２０８にロードした後にＣＰＵ２０１によって実行され、ＣＰＵ２０１による実行結果は操作部２０６に表示される。
【００２６】
画像処理装置１０３において、ファイル共有サーバ１０１に対するSMB送信の設定及び白紙除去機能の設定を操作部２０６から行い、原稿をスキャナ２０５に置いてスキャン及び送信指示を行う。スキャナ２０５でスキャンした原稿は一度ＨＤＤ２０３に画像データとして格納される。スキャナ２０５での白紙判定は主に入力画像データのヒストグラム及びエッジ検出を用いて実施される。
【００２７】
ヒストグラム生成は所定のサンプリングピッチに準じ、分割領域毎にヒストグラムの生成を行う。エッジ検出はヒストグラムだけでは判別が難しい薄いコンテンツを判定可能であり、所定のサンプリングピッチに準じ、分割領域毎に入力画像データのエッジ検出を行い、エッジと検出した画素を分割領域毎にカウントする。ヒストグラム及びエッジ検出のそれぞれの閾値に基づいて白紙判定を行い、ヒストグラムの判定とエッジ検出の白紙判定結果から最終的な白紙判定を行う。
【００２８】
スキャナ２０５での白紙判定結果はページ毎にスキャンする毎に判定結果が通知されてくるので、画像データをＨＤＤ２０３に格納する際には、この判定結果及びスキャン時のその他の情報を各ページに関連付けて保存する。各ページに白紙判定結果及びスキャン時のその他の情報がどのように関連付けられて保存されているかは後述の図７で説明を行う。ＨＤＤ２０３に白紙判定結果付きの画像データが作成されると、白紙判定結果に基づいて白紙と判定されたページは読み捨てて、白紙と判定されていないページのみ取得する。白紙と判定されていないページのみ、ＪＰＥＧやＴＩＦＦ等のファイルフォーマットに画像変換を行った後にネットワークI/F２０７を介してファイル共有サーバ１０１に送信する(S301)。
【００２９】
次に、送信が完了したか否かの判定を行う(S302)。送信が完了したと判定されると、後述の図６で示されている送信結果レポート設定に応じて送信結果レポートを出力するか否かを判定する。送信結果レポートを出力すると判定された場合は送信結果レポート生成を開始する(S303)。
【００３０】
次に、同様に後述の図６で示されている送信結果レポート設定から送信原稿の表示設定画面６０２の設定が「ON」になっているかを判定する(S304)。S304で「ON」になっている(画像付きの送信結果レポート)と判定された場合は、図７の白紙判定結果の値を取得する(S305)。S305で取得した値が1の場合は白紙と判定し、0の場合は白紙でないと判定する(S306)。S306で白紙と判定された場合は、現在の判定ページ数が2ページ目か否かを判定する(S307)。
【００３１】
S307で2ページ目でないと判定された場合は2ページの白紙判定結果を図７の白紙判定結果の値から取得し(S308)、次ページの白紙判定を行う(S306)。S306で白紙でないと判定された場合は、白紙でないと判定されたページの画像データを取得し(S311)、送信結果等が記載されたレポート用の画像を生成する(S312)。S311の画像データとS312のレポート用の画像を合成して画像付きの結果レポートを生成し(S313)、送信画像付きのレポート印刷を行う(S314)。S304で「OFF」になっている(画像なしの送信結果レポート)と判定された場合は、送信結果等が記載されたレポート用の画像を生成し(S315)、送信画像が付かないレポート印刷を行う(S316)。
【００３２】
S307で2ページ目と判定された場合はそれ以降のページの白紙判定は中止し、図１２記載のような白紙ページのため送信画像が印刷されていない旨のメッセージを追記したレポート画像生成を行い(S309)、送信画像なしのレポート印刷を行う(S310)。
【００３３】
図６は送信結果レポートの設定変更を行うための画面であり、設定ボタン６０１を「エラー時のみ」にすると送信結果がエラーになった場合にのみ送信結果レポートが出力される。
【００３４】
設定ボタン６０１を「ON」に設定すると、送信の結果に関わらず送信が完了した場合には必ず送信結果レポートが出力される。設定ボタン６０１を「OFF」に設定すると、送信の結果に関わらず常に送信結果レポートは出力されない。また、設定ボタン６０２は送信結果レポートを出力する際に、送信した先頭画像を表示するかを切り替えるためのボタンであり、「ON」に設定していると送信した先頭画像が付与された送信結果レポートが出力される。
【００３５】
図７はＨＤＤ２０３に格納されている画像データの各ページに関連付けて保存されている白紙判定結果及びスキャン時のその他の情報の情報を図示したものである。白紙判定結果は０か１で保存されており、０の場合は白紙でないことを示し、１の場合は白紙であることを示し、本白紙判定結果を用いることで該当ページが白紙か否かの判定が可能となる。その他の情報としては、ページ番号や解像度(主、副)、サイズ(主、副)、カラー判定結果等のスキャン時の情報が保存されている。
【００３６】
なお、本実施例では白紙判定するページ数は2ページ固定としていたが、図１１の指定ページ検索画面１１０２より判定するページ数の上限を設定するようにしてもよい。
【００３７】
以上、本実施例により先頭ページが白紙除去機能により削除して送信された場合でも、実際に送信したページの画像を取得して画像付きの送信結果レポートとして取得することが可能となりユーザの利便性が向上する。
【００３８】
また、白紙でないページ数の検索として上限ページの設定を行うことで、無駄に白紙ページの検索を行う時間を減らすことが可能となりユーザの利便性が向上する。白紙ページ検索の上限に達して画像付きの送信結果レポートが出力されない場合であっても、送信画像が印刷されていない旨を記述することでユーザの利便性が向上する。
【００３９】
［実施例２］
以下、本実施例における宛先表の処理方法について図４のフローチャートを用いて説明する。なお、本フローチャートで示す処理は、ＲＯＭ２０９に格納されたプログラムをＲＡＭ２０８にロードした後にＣＰＵ２０１によって実行され、ＣＰＵ２０１による実行結果は操作部２０６に表示される。
【００４０】
画像処理装置１０３において、ファイル共有サーバ１０１に対するSMB送信の設定及び白紙除去機能の設定を操作部２０６から行う。白紙除去機能の設定時には図８の白紙判定レベル設定を行う(S401)。
【００４１】
図８は白紙判定レベル設定を行うための画面であり、レベル調整ボタン８０１を低く設定すれば白紙と判定され難くなる。逆に高く設定すると白紙と判定され易くなる。本実施例でのレベル調整は5段階としている。
【００４２】
次に原稿をスキャナ２０５に置いてスキャン及び送信指示を行う(S402)。スキャナ２０５でスキャンした原稿は一度ＨＤＤ２０３に画像データとして格納される。スキャナ２０５での白紙判定は主に入力画像データのヒストグラム及びエッジ検出を用いて実施される。
【００４３】
ヒストグラム生成は所定のサンプリングピッチに準じ、分割領域毎にヒストグラムの生成を行う。エッジ検出はヒストグラムだけでは判別が難しい薄いコンテンツを判定可能であり、所定のサンプリングピッチに準じ、分割領域毎に入力画像データのエッジ検出を行い、エッジと検出した画素を分割領域毎にカウントする。
【００４４】
ヒストグラム及びエッジ検出についてそれぞれ複数の閾値(5段階)に基づいて白紙判定を行い、ヒストグラムの判定とエッジ検出の判定結果から最終的な白紙判定が複数の閾値(5段階)毎に行われる。
【００４５】
スキャナ２０５での白紙判定結果はページ毎にスキャンする度に複数レベルの判定結果が通知されてくる(S403)。
【００４６】
画像データをＨＤＤ２０３に格納する際には、この複数レベルの判定結果及びスキャン時のその他の情報を各ページに関連付けて保存する(S404)。各ページに複数レベルの白紙判定結果及びスキャン時のその他の情報がどのように関連付けられて保存されているかは図１０で説明を行う。
【００４７】
図１０(A)はＨＤＤ２０３に格納されている画像データの各ページに関連付けて保存されている複数レベルの白紙判定結果、レベル調整ボタン８０１で設定した白紙判定レベル及びスキャン時のその他の情報の情報を図示したものである。図７と異なる点は白紙判定レベルが追加になっている点と白紙判定結果が複数レベル（５段階）で設定されている点である。
【００４８】
白紙判定レベルについてはレベル調整ボタン８０１で設定した１〜５の各レベルが設定されており、どのレベルの白紙判定結果を利用すれば良いかを示すものとなっている。白紙判定結果については本実施例では”０００１１”と設定されており、図１０(B)に図示しているように左からレベル調整ボタン８０１の１〜５にそれぞれ該当することになる。
【００４９】
本実施例の場合は白紙判定レベルが３となっているので、左から３番目の０が白紙判定結果となる。また、白紙判定結果については図７同様に０の場合は白紙でないことを示し、１の場合は白紙であることを示す。なお、本実施例の白紙判定結果のレベルは５段階であるが、５段階に限定されるものではない。
【００５０】
次にプレビュー要求があるかを判定し(S405)、プレビュー要求がある場合は図９に示すようなプレビュー画面を表示する。図９のプレビュー画面ではプレビュー画像表示領域９０１、プレビュー画像のページ移動を行うボタン９０２と白紙判定のレベル調整ボタン９０３からなる。
【００５１】
レベル調整ボタン９０３にデフォルトで表示されるレベルは白紙除去機能設定時に図８のレベル調整ボタン８０１で設定したレベル（図１０(A)の白紙判定レベル）が表示される。レベル調整ボタン９０３でレベルを変更すると、変更したレベルに応じた図１０(A)の白紙判定結果を反映したプレビュー画像が９０１に表示される(S407)。
【００５２】
例えば、図１０記載のページの場合、白紙判定レベルは３のためプレビュー画面に表示した際には白紙でない表示がなされているが、レベル調整ボタン９０３で“４”に設定すると白紙判定結果は“１”で白紙となり、９０１にも白紙と区別可能な表示がなされる。
【００５３】
また、レベル調整ボタン９０３でレベル変更した値は図１０(A)の白紙判定レベルに上書きされて保存される(S408)。
【００５４】
次に、白紙と判定されていないページのみ、ＪＰＥＧやＴＩＦＦ等のファイルフォーマットに画像変換を行った後にネットワークI/F２０７を介してファイル共有サーバ１０１に送信する(S406)。
【００５５】
次に、送信が完了したか否かの判定を行う(S409)。送信が完了したと判定されると、図６で示されている送信結果レポート設定に応じて送信結果レポートを出力するか否かを判定する。送信結果レポートを出力すると判定された場合は送信結果レポート生成を開始する(S410)。
【００５６】
次に、同様に図６で示されている送信結果レポート設定から送信原稿の表示設定画面６０２の設定が「ON」になっているかを判定する(S411)。S411で「ON」になっている(画像付きの送信結果レポート)と判定された場合は、先頭ページから図10(A)の白紙判定レベルの値を取得する(S412)。S412で取得した白紙判定レベルに応じた白紙判定結果を取得する (S413)。
【００５７】
次に白紙判定結果から白紙判定を行う(今回の例の場合は0のため白紙ではない) (S414)。S414で白紙と判定された場合は、現在の判定ページ数が2ページ目か否かを判定する(S415)。S415で2ページ目でないと判定された場合は2ページの白紙判定レベルを取得する(S416)。S416で取得した白紙判定レベルに応じた白紙判定結果を取得し(S413)、次ページの白紙判定を行う(S414)。S414で白紙でないと判定された場合は、白紙でないと判定されたページの画像データを取得し(S419)、送信結果等が記載されたレポート用の画像を生成する(S420)。
【００５８】
S419の画像データとS420のレポート用の画像を合成して画像付きの結果レポートを生成し(S421)、送信画像付きのレポート印刷を行う(S422)。S411で「OFF」になっている(画像なしの送信結果レポート)と判定された場合は、送信結果等が記載されたレポート用の画像を生成し(S423)、送信画像が付かないレポート印刷を行う(S424)。S415で2ページ目と判定された場合はそれ以降のページの白紙判定は中止し、図１２記載のような白紙ページのため送信画像が印刷されていない旨のメッセージを追記したレポート画像生成を行い(S417)、送信画像なしのレポート印刷を行う(S418)。
【００５９】
なお、本実施例では白紙判定するページ数は2ページ固定としていたが、図１１の指定ページ検索画面１１０２より判定するページ数の上限を設定するようにしてもよい。
【００６０】
以上、本実施例によりスキャン後にプレビュー画面等から白紙判定結果を変更した後に送信が可能となった場合でも実際に送信した先頭ページの画像を取得して画像付きの送信結果レポートとして取得することが可能となりユーザの利便性が向上する。また、白紙でないページ数の検索として上限ページの設定を行うことで、無駄に白紙ページの検索を行う時間を減らすことが可能となりユーザの利便性が向上する。白紙ページ検索の上限に達して画像付きの送信結果レポートが出力されない場合であっても、送信画像が印刷されていない旨を記述することでユーザの利便性が向上する。
【００６１】
［実施例３］
以下、本実施例における宛先表の処理方法について図５のフローチャートを用いて説明する。なお、本フローチャートで示す処理は、ＲＯＭ２０９に格納されたプログラムをＲＡＭ２０８にロードした後にＣＰＵ２０１によって実行され、ＣＰＵ２０１による実行結果は操作部２０６に表示される。
【００６２】
本実施例では実施例１と異なる部分のみ説明を行う。実施例１ではパフォーマンスを優先するために白紙ページの検索を行う際には２ページまでに限定していたが、本実施例では最終ページまで検索を行う(S507)。
【００６３】
S507で最終ページまで検索しても白紙であったと判定された場合は、送信結果レポートの中止を行う(S509)。白紙ページの検索処理については、図１１にあるように全ページ検索１１０１するか、指定ページ検索１１０２するかの切り替えを操作部２０６上から変更可能にするようにしてもよい。
【００６４】
以上、本実施例により先頭ページが白紙除去機能により削除して送信された場合でも、実際に送信した全ページの画像を検索して先頭画像を確実に画付きの送信結果レポートとして取得することが可能となりユーザの利便性が向上する。また、白紙ページ検索条件を全ページにするか指定ページまでにするかの切り替えることが可能となるため、ユーザの利用用途に応じた機能を提供することが可能となり利便性が向上する。
【符号の説明】
【００６５】
１０１  ファイル共有サーバ
１０２  認証サーバ
１０３  画像処理装置
１０４  ネットワーク
２０１  ＣＰＵ
２０８  ＲＡＭ
２０９  ＲＯＭ
【図１】
2015056708.tif 000003
【図２】
2015056708.tif 000004
【図３】
2015056708.tif 000005
【図４】
2015056708.tif 000006
【図５】
2015056708.tif 000007
【図６】
2015056708.tif 000008
【図７】
2015056708.tif 000009
【図８】
2015056708.tif 000010
【図９】
2015056708.tif 000011
【図１０（Ａ）】
2015056708.tif 000012
【図１０（Ｂ）】
2015056708.tif 000013
【図１１】
2015056708.tif 000014
【図１２】
2015056708.tif 000015